(57)【要約】【課題】大型化、高価格化を招くことなく、光学部材（ＬＰＦ）と撮像素子の間に塵・埃等の異物が侵入するのを確実に防止し得る撮装置を提供する。【解決手段】スペーサ４の開口部以外の部分の表裏両面に再剥離性を有する粘着層を形成しておき、この粘着層によりＣＣＤのカバーガラスとローパスフィルタ（ＬＰＦ）とを一体に保持することにより、ＣＣＤのカバーガラスとローパスフィルタ（ＬＰＦ）との間に略密閉空間を形成する。【選択図】      図６
2004187243.tif 000002
【特許請求の範囲】
【請求項１】
撮影レンズを透過した被写体光を受光して光電変換する撮像素子と、
前記撮像素子の近傍で撮影光路上に配設された光学部材と、
前記撮像素子と前記光学部材の間に配設され、前記撮像素子と前記光学部材とを一体的に保持する保持部材とを有し、
前記保持部材は、再剥離性を有する粘着剤を用いて前記撮像素子と前記光学部材とを一体的に保持することを特徴とする撮像装置。
【発明の詳細な説明】
【０００１】
【発明の属する技術分野】
本発明は、デジタルカメラなどの撮像装置における撮像光学系の保持技術に関する。
【０００２】
【従来の技術】
近年、光学的に得られた被写体像を固体撮像素子により光電変換して記録する所謂デジタルカメラが普及している。このような固体撮像素子を用いたデジタルカメラの場合、一般に固体撮像素子の分光感度特性を補正するための光学フィルタを撮影レンズと固体撮像素子の間の撮影光路上に配置するように構成されている。
【０００３】
この光学フィルタには、赤外成分をカットする「赤外カットフィルタ」や固体撮像素子のモアレ、偽色等の現象を回避するための「ローパスフィルタ」等が含まれる。
【０００４】
特に一眼レフタイプのデジタルカメラにおいては、ファインダ光学系へ撮影光束を導くメイン可動ミラー、及びシャッタ機構をミラーボックスに有しているため、光学フィルタは、ミラーボックス背面のシャッタ機構と固体撮像素子の間の非常に狭い隙間へ配置されている。
【０００５】
このように構成されたデジタルカメラでは、塵・埃等の異物が固体撮像素子近傍に侵入すると、この異物の影が撮像素子に写り込んでしまうという問題が発生する。特に、光学フィルタと固体撮像素子の隙間に侵入した異物を除去するためには、光学フィルタあるいは固体撮像素子を取り外す必要があり、この除去作業が面倒なので、従来、光学フィルタと固体撮像素子の間の空間は密閉空間とし、外部から異物が侵入しないようにしていた（特開２０００−３３３０５０号公報、特開２００２−１２２９０６号公報、特開２００１−０８５６５５号公報参照）。
【０００６】
特開２０００−３３３０５０号公報、及び特開２００２−１２２９０６号公報では、光学フィルタである「ローパスフィルタ（以下、ＬＰＦと言う）」を保持しているフィルタ保持枠と固体撮像素子との間を密閉空間とし、固体撮像素子の近傍へ塵や埃などの異物が侵入するのを防止する構成を達成するために、フィルタ保持枠に固定されたゴム部材を固体撮像素子の表面へ押付けるように構成されている。
【０００７】
また、特開２００１−０８５６５５号公報では、光学フィルタの側面に弾性部材を配置し、固体撮像素子と一体的に形成された保持枠に該弾性部材を圧縮変形させながら嵌入することで、光学フィルタと固体撮像素子との間を密閉空間とするように構成されている。
【０００８】
【特許文献１】
特開２０００−３３３０５０号公報
【特許文献２】
特開２００２−１２２９０６号公報
【特許文献３】
特開２００１−０８５６５５号公報等
【０００９】
【発明が解決しようとする課題】
しかしながら、特開２０００−３３３０５０号公報、及び特開２００２−１２２９０６号公報では、フィルタ保持枠に固定されたゴム部材を固体撮像素子の表面へ押付けているだけの構成であるため、固体撮像素子の位置調整を行った場合に、ゴム部材の変形量や押圧力が変化することによりＬＰＦとの間の隙間が変化し、密閉性を維持するのが難しかった。
【００１０】
特に、ＬＰＦ表面の塵・埃等をブロワ等により風圧で除去する場合に、ＬＰＦ表面から側面に回りこんだ塵・埃等を含んだ空気がゴム部材を変形させてしまい、固体撮像素子との密着部に隙間が発生し、ＬＰＦ表面から吹き飛ばした塵・埃等を含んだ空気がＬＰＦと固体撮像素子の間の空間に侵入して、ＬＰＦ裏面、及び固体撮像素子表面に塵・埃等が付着してしまうという問題があった。
【００１１】
このような塵・埃等の問題は、カメラの使用環境変化、特に気圧の変化により、ＬＰＦと固体撮像素子との間の空間の空気が膨張・収縮することでゴム部材が変形した場合にも、発生していた。
【００１２】
また、ゴム部材と固体撮像素子表面の接触部に隙間が発生しない程度の押付け力、及びゴム変形量を必要とするので、密閉空間自体をある程度大きくする必要があり、小型化を図ることが困難であった。
【００１３】
このことは、近年、より大型の固体撮像素子を搭載したデジタル一眼レフカメラの製品化がなされているが、固体撮像素子の大型化は、ファインダ光学系へ撮影光束を導くメイン可動ミラー、シャッタ機構、ミラーボックスの大型化を招くことと相俟って、デジタルカメラの小型化を図る際の大きな問題となっていた。
【００１４】
また、特開２００１−０８５６５５号公報では、光学フィルタの側面に弾性部材を配置し、固体撮像素子と一体的に形成された保持枠に該弾性部材を圧縮変形させながら嵌入しているため、光学フィルタの肉厚を厚くして光学フィルタ自体の強度を高める必要があり、大型化、及びコストアップを招いていた。
【００１５】
また、撮像素子パッケージは、弾性部材を押し潰す力に耐えなければならないので、この力に十分耐えられる強度、大きさが必要になり、且つ、撮像素子パッケージの加工精度はあまり良くないので撮像素子パッケージと光学フィルタの間の空間を確実に密閉空間にするためには、弾性部材の厚さも厚くして弾性部材の押し潰し量を大きく採る必要があり、弾性部材自体のコストアップを招いていた。
【００１６】
さらに、カメラの使用環境変化、特に気圧の変化により、光学フィルタと固体撮像素子との間の密閉空間内の空気が膨張・収縮した場合、その膨張・収縮による破損や変形に耐え得る強度が撮像素子パッケージと光学フィルタに要求されるため、撮像素子パッケージ、光学フィルタは、共に肉厚を厚くする必要があり、この点でもカメラの大型化、コストアップを招いていた。
【００１７】
本発明は、このような背景の下になされたもので、その課題は、大型化、高価格化を招くことなく、光学部材（ＬＰＦ）と撮像素子の間に塵・埃等の異物が侵入するのを確実に防止し得る撮装置を提供することにある。
【００１８】
【課題を解決するための手段】
上記課題を解決するため、本発明に係る撮像装置は、撮影レンズを透過した被写体光を受光して光電変換する撮像素子と、前記撮像素子の近傍で撮影光路上に配設された光学部材と、前記撮像素子と前記光学部材の間に配設され、前記撮像素子と前記光学部材とを一体的に保持する保持部材とを有し、前記保持部材は、再剥離性を有する粘着剤を用いて前記撮像素子と前記光学部材とを一体的に保持するように構成されている。
【００１９】
【発明の実施の形態】
以下、本発明の実施の形態を図１〜図１２に基づいて詳細に説明する。
【００２０】
図１は、本発明によるデジタルカメラのＣＣＤ（撮像）ユニット１０の分解斜視図である。ＣＣＤユニット１０は、大きく分けると、固体撮像素子であるＣＣＤ２を直接保持するＣＣＤプレート１、ＣＣＤユニット１０の主要構造部材となるベースプレート３、光学部材であるローパスフィルタ（ＬＰＦ）５、該ＬＰＦ５を位置決め可能に直接保持するＬＰＦ枠６、ＣＣＤ２とＬＰＦ５との間に隙間を形成すると共にＣＣＤ２とＬＰＦ５とを一体的に保持するためのスペーサ４、ＬＰＦ５をカバーするＬＰＦカバー板７、ＬＰＦ枠６、ＬＰＦ５、及びスペーサ４をＬＰＦカバー板７を介してベースプレート３に取付けるための押さえバネ８ａ，８ｂによって構成されている。
【００２１】
図２は、ＣＣＤ２をＣＣＤプレート１に接着した状態を示す斜視図である。ここで、ＣＣＤプレート１の４ヶ所の腕部１ａ，１ｂ，１ｃ，１ｄは、ＣＣＤ２をＣＣＤプレート１上で位置決めした後、ベースプレート３にハンダや接着剤で固定するためのものである。また、ＣＣＤ２の受光部側には、ＣＣＤ素子を保護するためのカバーガラス２ａが貼り付けられている。
【００２２】
図３は、ＣＣＤプレート１をベースプレート３に対して取り付けた状態を示しており、図３の状態では、ＣＣＤ２の受光部は、撮影光軸に対して位置合わせ調整が既になされている。
【００２３】
ところで、ＣＣＤ２などの撮像素子のパッケージとしては、一般的にセラミックパッケージが使用されているが、このパッケージが大きい場合は、パッケージの製造誤差が大きくなる。また、パッケージ内に撮像素子自体を貼り付ける際の貼り付け位置の誤差も大きくなる。このため、ＣＣＤ２のパッケージの外形を基準とした位置決めでは、カメラとして要求される位置精度を得ることができない。
【００２４】
そこで、不図示のカメラ本体に取り付けるときに基準となるベースプレート３に対して、ＣＣＤ２の受光部の位置が所定の位置になるように調整し、その調整がなされた状態で、ベースプレート３とＣＣＤプレート１の対向する４ヶ所の腕部３ａ，３ｂ，３ｃ，３ｄの隙間にハンダ、或いは接着剤を充填させて硬化させることによって固定するようにしている。
【００２５】
ベースプレート３に設けられた２本のピン３ｅ，３ｆは、ＣＣＤユニット１０をカメラ本体や位置調整装置に取り付ける際に位置決めを行うガイドピンである。すなわち、ＣＣＤユニット１０を構成する部品群の中では、ベースプレート３がカメラ本体に対して最も精度良く取り付けられている。
【００２６】
図４は、ＬＰＦユニット１１の構成を説明するための分解斜視図である。
【００２７】
ローパスフィルタ（ＬＰＦ）５は、複数の複屈折板によって点像分離を行うことにより撮影画像にモワレが発生するのを防止する機能と、撮像素子（ＣＣＤ２）に赤外光が入射しないようにするための赤外光カット機能とを有している。
赤外光カット機能は、赤外光吸収ガラスや赤外光反射膜によって実現され、これら赤外光吸収ガラスと赤外光反射膜とを組み合わせて実現する場合もある。
【００２８】
ＬＰＦユニット１１は、ＬＰＦカバー板７とＬＰＦ枠６を一体化することによって構成される。ＬＰＦカバー板７の上下の４ヶ所（２対）には、係合孔７ａ，７ｂが形成され、これら係合孔７ａ，７ｂが、ＬＰＦ枠６の上下４ヶ所（２対）に配設された係合爪６ａ、６ｂに係合することによって、ＬＰＦカバー板７とＬＰＦ枠６とが一体化される。
【００２９】
ローパスフィルタ（ＬＰＦ）５の上下左右方向の位置決めは、ＬＰＦカバー板７とＬＰＦ枠６とを上記のように一体化した状態で、ＬＰＦ枠６の開口部にその端面５ａを突き当てて嵌合することにより行われ、ローパスフィルタ（ＬＰＦ）５の光軸方向の位置決めは、ローパスフィルタ（ＬＰＦ）５をＬＰＦカバー板７に突き当てることによって行われる。このようにしてローパスフィルタ（ＬＰＦ）５を位置決めした状態で接着固定することによって、ＬＰＦユニット１１が完成する。なお、この接着固定の方法については後述する。
【００３０】
このようにＬＰＦユニット１１を構成にすることによりローパスフィルタ（ＬＰＦ）５を保持しているので、ローパスフィルタ（ＬＰＦ）５の外側（シャッタ側）に必要とするスペースは薄い金属板のＬＰＦカバー板７の厚さだけとなり、従来の方式と比較すると非常に小さなスペースで済む。
【００３１】
また、ローパスフィルタ（ＬＰＦ）５の外周端面５ａは、ＬＰＦカバー板７によって覆われているので、ローパスフィルタ（ＬＰＦ）５の端面に撮影光束が入射することはなく、ローパスフィルタ（ＬＰＦ）５を小型化してもローパスフィルタ（ＬＰＦ）５の端面５ａによるゴーストは発生しないという効果もある。このように、ＬＰＦユニット１１の構成は、ローパスフィルタ（ＬＰＦ）５の小型化に非常に有効な保持方法である。
【００３２】
ＬＰＦ枠６の上下４ヶ所（２対）の突起６ｃ，６ｄと左右２ヶ所（１対）の突起６ｅは、ＬＰＦユニット１１を位置決めするためのものであり、詳細は後述する。
【００３３】
図５は、ＬＰＦユニットを組み込むときの状態を示す分解斜視図であり、図６は、ＬＰＦユニットを組み込んだ状態を示す部分断面図である。
【００３４】
図５、図６において、ＬＰＦユニット１１をＣＣＤユニット１０に組み込む際には、ローパスフィルタ（ＬＰＦ）５とＣＣＤ２のカバーガラス２ａの間にスペーサ４を挟み込んで、ＬＰＦユニット１１を上から被せる。このようにスペーサ４を挟み込むのは、ローパスフィルタ（ＬＰＦ）５とＣＣＤ２のカバーガラス２ａが直接接触するのを防止し、ローパスフィルタ（ＬＰＦ）５とカバーガラス２ａの隙間で干渉縞が発生しないようにすると共に、カバーガラス２ａとローパスフィルタ（ＬＰＦ）５によって挟まれ空間を略密閉状態とし、外部から塵や埃が侵入しないようにするためである。
【００３５】
なお、スペーサ４は、非常に薄い板状の部材により構成され、その中央部には、撮影光束をＣＣＤ２の受光部に入射させるための開口部４ｃが形成されている。
【００３６】
スペーサ４の開口部４ｃ以外の部分の表側４ａ、裏側４ｂには、本発明に特有な再剥離性を有する粘着層が形成されている。また、スペーサ４の開口部４ｃは、ＣＣＤ２の受光部の有効撮像範囲以外へ撮影光束が入射するのを防止するようにその開口形状が設定されており、これにより、ＣＣＤ２の受光部が形成されている半導体チップの有効撮像範囲以外の回路部や外周のボンディング部へ光束が入射して起こる乱反射に起因するゴースト等を防止することが可能となる。
【００３７】
なお、スペーサ４の外周のサイズは、ＬＰＦ枠６の枠と同一のサイズであり、スペーサ４は、ＬＰＦ枠６の枠に装着されることにより、ＬＰＦ枠６に対して位置決めされる。また、スペーサ４の外周のサイズは、ローパスフィルタ（ＬＰＦ）５の外周のサイズよりも大きくなっており、ＬＰＦユニット１１をＣＣＤユニット１０に組み込んだ状態では、ローパスフィルタ（ＬＰＦ）５の外周に粘着層のフランジ部が形成されるように構成されている。（図６参照）
上記の再剥離性を有する粘着層は、例えば、最近、家電製品などに使われる簡易自己粘着シートなどに使用されるもので、シートを被着体に貼り合わせた後に簡単に剥がせ、さらに剥がしたシートを被着体に再び貼り合せて、繰り返し使用可能なものである（再剥離性）。
【００３８】
この再剥離性を有する粘着層は、タック力、粘着力の極めて小さい、いわゆる弱粘着力型アクリル系粘着剤、ゴム系粘着剤を薄く塗布することで形成することができ、また、再剥離性を有する粘着剤としてのシリコン系粘着剤やウレタン系粘着剤（ポリウレタンエラストマ層を含む）により形成することができる。
【００３９】
なお、本実施形態では、粘着層の粘着力は、スペーサ４の表側４ａ（ローパスフィルタ（ＬＰＦ）５側）と、裏側４ｂ（ＣＣＤ２のカバーガラス２ａ側）とで略同一に設定することを想定している。
【００４０】
しかし、ローパスフィルタ（ＬＰＦ）５を薄型化するに伴い、ＣＣＤ２のカバーガラス２ａの平面維持性に比べてローパスフィルタ（ＬＰＦ）５の平面維持性が極端に弱くなってきている。このため、ローパスフィルタ（ＬＰＦ）５側と、ＣＣＤ２のカバーガラス２ａ側との粘着力を略同一にした場合、ローパスフィルタ（ＬＰＦ）５に不要な応力がかかってしまい、ローパスフィルタ（ＬＰＦ）５に曲面が生じて光学的特性が劣化したり、ローパスフィルタ（ＬＰＦ）５が破損したりする可能性がある。
【００４１】
従って、スペーサ４の表側４ａの粘着力と、裏側４ｂの粘着力を異ならせ、ローパスフィルタ（ＬＰＦ）５の粘着面である表側４ａの粘着力をＣＣＤ２のカバーガラス２ａ側の粘着面である裏側４ｂの粘着力よりも弱く設定するのが好ましい。
【００４２】
このようにローパスフィルタ（ＬＰＦ）５側の粘着力をＣＣＤ２のカバーガラス２ａ側の粘着力より弱く設定した場合、不完全粘着部が部分的に生じる可能性が高くなるが、これは何ら弊害をもたらすものではなく、むしろ利点をもたらすものである。
【００４３】
すなわち、不完全粘着部が存在せず、ローパスフィルタ（ＬＰＦ）５とＣＣＤ２のカバーガラス２ａとの間の空間が完全な密閉空間の場合は、組み立て後の気圧や温度の変化により、密閉空間内の空気が収縮・膨張してローパスフィルタ（ＬＰＦ）５、及びＣＣＤ２のカバーガラス２ａに不要な応力がかかり、特にローパスフィルタ（ＬＰＦ）５の破損、平面維持性の悪化に伴う光学的特性の悪化、ＬＰＦ枠６からの離脱等を招く虞がある。
【００４４】
しかし、上記のように不完全粘着部の存在を許容してローパスフィルタ（ＬＰＦ）５とＣＣＤ２のカバーガラス２ａとの間の空間を完全な密閉空間とはせずに略密閉空間とした場合は、この略密閉空間への空気の流入・流出が可能となるので、上記のような弊害が生じる虞はない。
【００４５】
なお、不完全粘着部の隙間より塵・埃等の異物を含む空気が流入しようとした場合は、その塵・埃等の異物は、流入の過程で粘着層の粘着力により取り除かれ、略密閉空間に侵入することはない。
【００４６】
この異物除去効果は、組み立て後の気圧や温度の変化に伴なって略密閉空間に空気が流入・流出する場合だけでなく、組み立て時にローパスフィルタ（ＬＰＦ）５の表面をブロワ等により風圧でクリーニングする際に、略密閉空間に空気が流入・流出する場合にも発揮される。
【００４７】
スペーサ４の表側４ａの粘着層の粘着力を裏側４ｂの粘着層の粘着力よりも弱く設定する方法としては、前述した弱粘着力型アクリル系粘着剤やゴム系粘着剤の塗布量（塗布厚）を変えたり、シリコン層やポリウレタンエラストマ層の厚さを変えたりすることが考えられる（特に、同一種類の粘着剤を用いた場合に有効）。また、表側４ａの粘着層と裏側４ｂの粘着層とで異なる種類・タイプの粘着剤を用いる手法も考えられる。さらに、ローパスフィルタ（ＬＰＦ）５側の粘着面積よりも、ＣＣＤ２のカバーガラス２ａ側の粘着面積を大きく設定することで、ローパスフィルタ（ＬＰＦ）５の引き剥がし力を相対的に弱くしてもよい（特に、同一種類の粘着剤を用いた場合に有効）。
【００４８】
なお、自己粘着性を有する粘着剤を用いた場合は、スペーサ４の表側４ａ及び裏側４ｂだけでなく、その表側４ａ、裏側４ｂの粘着剤に対向するローパスフィルタ（ＬＰＦ）５、ＣＣＤ２のカバーガラス２ａ等の部分にも同一の自己粘着性を有する粘着剤を塗布等しておく必要がある。
【００４９】
このように構成することで、ローパスフィルタ（ＬＰＦ）５は、ＣＣＤ２より簡単に剥がすことが可能で、且つ、繰り返し貼り付けが可能であるため、組立て作業性、及びメンテナンス作業性が極めて良好となる。また、スペーサ４は、従来の弾性部材に比べると大幅に薄くすることが可能であり、ＬＰＦ保持機構のスペースを従来の保持機構より大幅に小型化できるようになるため、より大きな撮像素子を搭載したデジタル一眼レフカメラに非常に有効な保持方法である。
【００５０】
図７は、ＬＰＦユニット１１が振動等により脱落しないように、ＬＰＦホルダ１１をＣＣＤ２側に取り付ける状態を示している。
【００５１】
押さえバネ８ａ，８ｂは、取り付けビス９ａ，９ｂによってベースプレート３の取り付け部３ｇに取り付けられることにより、ＬＰＦカバー板７の上下４ヶ所の腕部７ｃ，７ｄを押さえるように構成されている。
【００５２】
このときＬＰＦカバー板７は、導電性の押さえバネ８ａ，８ｂを介してベースプレート３に電気的に接続される。このため、ベースプレート３を接地することによりＬＰＦカバー板７を接地させることができる。このように電磁ノイズ源となることの多い撮像素子を覆っているＬＰＦカバー板７を接地することによって撮像素子からの電磁ノイズを遮断し、ノイズを効果的に低減させることができるようになる。
【００５３】
図８、９、１０は、押さえバネ８ａ，８ｂを取り付け完成状態のＣＣＤユニット１０の外観図である。
【００５４】
ＣＣＤユニット１０は、取り付けビス１３ａ，１３ｂ，１３ｃによって不図示のカメラ本体に取り付けられる。
【００５５】
このようにＣＣＤユニット１０にローパスフィルタ（ＬＰＦ）５を装着した状態でユニット化できるので、ローパスフィルタ（ＬＰＦ）５とＣＣＤ２の間に塵や埃等の異物が入らないようにクリーンルームでＣＣＤユニット１０を組み立て、カメラのメインの組み立て作業は、クリーンムルームで行う必要はなくなる。
【００５６】
図１１は、ローパスフィルタ（ＬＰＦ）５の上下左右方向の位置決め方法を説明するための図である。ローパスフィルタ（ＬＰＦ）５は、ＬＰＦ枠６の内側の開口部に嵌合されることにより位置決めされる。そして、ＬＰＦ枠６の位置決めは、ＬＰＦ枠６をベースプレート３の開口部に嵌合させる際に、ＬＰＦ枠６の上下４ヶ所（２対）の突起６ｃ，６ｄと左右２ヶ所（１対）の突起６ｅが、ベースプレート３の開口部の対応部分に接触することにより行われる。
【００５７】
なお、ＬＰＦ枠６の左右一対の切り欠き部６ｆは、ローパスフィルタ（ＬＰＦ）５を接着する際に接着剤を流す接着溝である。
【００５８】
ここで、ベースプレート３は、不図示のカメラ本体に対して、すなわち撮影有効光束（光軸）に対して最も精度良く位置決めされる部品である。従って、ローパスフィルタ（ＬＰＦ）５の上下左右方向の位置決めは、ＣＣＤ２ではなく、カメラ本体（撮影有効光束）に対して最も精度良く取り付けられているベースプレート３によって位置決めされることとなり、これによって有効光束からローパスフィルタ（ＬＰＦ）５の端面までの余裕量を小さくすることができ、ローパスフィルタ（ＬＰＦ）５の小型化およびコストダウンを図ることが可能となる。
【００５９】
図１２は、ＣＣＤユニット１０の中央断面図である。ＣＣＤ２は、ＣＣＤプレート１に接着固定され、ローパスフィルタ（ＬＰＦ）５は、ＣＣＤ２のカバーガラス２ａ上に置かれたスペーサ４を挟んで、押さえバネ８ａ、８ｂによってバネ付勢される。
【００６０】
従って、ＣＣＤ２のカバーガラス２ａとローパスフィルタ（ＬＰＦ）５の隙間は、スペーサ４の厚さで決定され、その厚さは従来の弾性部材を使用するものより大幅に薄くでき薄型化が可能となる。また、ローパスフィルタ（ＬＰＦ）５の外側（シャッタ側）は、ＬＰＦカバー板７の板厚分のスペースだけであり、従来のプラスティック製のＬＰＦホルダのようなスペースは必要なく、この点でも、大幅に薄型化が可能となっている。
【００６１】
このように、本発明のＬＰＦ保持機構によると、ＬＰＦを保持する部材の光軸方向の厚さを大幅に小さくでき、大型の撮像素子を使ったデジタル一眼レフカメラでのＬＰＦ保持機構のスペース不足という問題を解消することができる。
【００６２】
また、このようにＬＰＦ保持機構を小型化しながらもローパスフィルタ（ＬＰＦ）５とＣＣＤ２のカバーガラス２ａ間の空間は、再剥離性を有する粘着層が形成されたスペーサ４により、ローパスフィルタ（ＬＰＦ）５とＣＣＤ２のカバーガラス２ａとを一体的に粘着保持することで、略密閉空間となっている。
【００６３】
このため、外部から塵・埃等の異物が侵入するのを確実に防止することができると共に、組立作業性、メンテナンス性を向上させることも可能となる。
【００６４】
さらに、ＬＰＦカバー板７は、ローパスフィルタ（ＬＰＦ）５の端面５ａを覆っているので、ＬＰＦ端面に撮影光束が入射しないようになっている。これによって、ＬＰＦ端面の反射光によるゴーストを防止できるので、ＬＰＦ端面を有効光束（撮像素子受光面）に近づけることができる。
【００６５】
また、ローパスフィルタ（ＬＰＦ）５の上下左右方向の位置決めは、最も位置精度の高いベースプレート３によってなされ、その位置決め精度を高くできるので、有効光束に対するローパスフィルタ（ＬＰＦ）５の有効部の余裕度を大きく採る必要がなくなる。これらの効果によって、高価なローパスフィルタ（ＬＰＦ）５を小型化でき、大きなコストダウンが可能となる。
【００６６】
なお、本発明は、上記の実施形態に限定されることなく、例えば、粘着層を構成する粘着剤としては、再剥離性を有するものでありさえすれば、如何なる種類・タイプの粘着剤を使用することも可能である。
【００６７】
また、再剥離性を有する粘着剤の粘着力も、その大小が問われることはなく、むしろ粘着力が小さい方が、再剥離性や略密閉空間の形成容易性の点で有利であり好ましい。これは、低価格化に寄与する要因ともなる。
【００６８】
さらに、上記実施形態では、静止画像を撮像するデジタルカメラに適用することを想定していたが、動画像を撮像可能なカメラ一体型レコーダに適用することも可能である。また、固体撮像素子は、ＣＣＤでなく、ＭＯＳ型であってもよい。
【００６９】
本発明に係る撮像装置の基本構成は、撮影レンズを透過した被写体光を受光して光電変換する撮像素子と、前記撮像素子の近傍で撮影光路上に配設された光学部材と、前記撮像素子と前記光学部材の間に配設され、前記撮像素子と前記光学部材とを一体的に保持する保持部材とを有し、前記保持部材は、再剥離性を有する粘着剤を用いて前記撮像素子と前記光学部材とを一体的に保持することを特徴とするものであるが、この実施形態としては、以下のようなものが考えられる。
【００７０】
［実施形態１］  前記保持部材は、開口部を有して前記撮像素子と前記光学部材の間に密閉空間を形成するスペーサとしても機能することを特徴とする基本構成に記載の撮像装置。
【００７１】
［実施形態２］  前記保持部材は、開口部を有して前記撮像素子への入射光束を規制するマスク手段としても機能することを特徴とする基本構成、又は実施形態１に記載の撮像装置。
【００７２】
［実施形態３］  前記光学部材は、光学的なローパスフィルタであることを特徴とする基本構成、又は実施形態１〜２の何れかに記載の撮像装置。
【００７３】
［実施形態４］  前記ローパスフィルタは、モワレの発生を防止する機能を有することを特徴とする実施形態３に記載の撮像装置。
【００７４】
［実施形態５］  前記ローパスフィルタは、所定の分光成分の入射を防止する機能を有することを特徴とする実施形態３又は４に記載の撮像装置。
【００７５】
［実施形態６］  前記粘着剤は、非自己粘着性の粘着剤であり、前記保持部材の両面に塗布されていることを特徴とする基本構成、又は実施形態１〜５の何れかに記載の撮像装置。
【００７６】
［実施形態７］  前記粘着剤は、自己粘着性の粘着剤であり、前記保持部材の両面、前記光学部材を位置決め可能に取り付けるための枠体の該保持部材との対向面、及び前記撮像素子の表面に設けられた保護板の該保持部材との対向面に塗布されていることを特徴とする基本構成、又は実施形態１〜５の何れかに記載の撮像装置。
【００７７】
［実施形態８］  前記粘着剤による粘着力は、前記撮像素子と前記保持部材とを粘着する粘着力よりも前記光学部材と前記保持部材とを粘着する粘着力の方が小さくなっていることを特徴とする基本構成、又は実施形態１〜７の何れかに記載の撮像装置。
【００７８】
［実施形態９］  前記粘着力の大小は、前記粘着剤として互いに異なる種類の粘着剤を使用することにより実現することを特徴とする実施形態８に記載の撮像装置。
【００７９】
［実施形態１０］  前記粘着力の大小は、前記粘着剤として同一種類の粘着剤を使用した場合に、該粘着剤の塗布厚又は塗布面積の大小により実現することを特徴とする実施形態８に記載の撮像装置。
【００８０】
［実施形態１１］  前記粘着剤による粘着部には、粘着されていない箇所が部分的に存在するのを許容することを特徴とする基本構成、又は実施形態１〜１０の何れかに記載の撮像装置。
【００８１】
［実施形態１２］  前記撮像素子と前記光学部材と前記保持部材は、所定のベース部材により一体的に保持されることを特徴とする基本構成、又は実施形態１〜１１の何れかに記載の撮像装置。
【００８２】
［実施形態１３］  撮影レンズを透過した被写体光を受光して光電変換する撮像素子と、前記撮像素子の近傍で撮影光路上に配設された光学部材と、前記撮像素子と前記光学部材の間に配設され、前記撮像素子と前記光学部材とを一体的に保持する保持部材とを有する撮像光学系の保持方法であって、前記保持部材は、再剥離性を有する粘着剤を用いて前記撮像素子と前記光学部材とを一体的に保持することを特徴とする撮像光学系の保持方法。
【００８３】
【発明の効果】
以上説明したように、本発明によれば、大型化、高価格化を招くことなく、光学部材（ＬＰＦ）と撮像素子の間に塵・埃等の異物が侵入するのを確実に防止し得る撮装置を提供することが可能となる。
【図面の簡単な説明】
【図１】ＣＣＤユニットの分解斜視図である。
【図２】ＣＣＤパッケージをＣＣＤプレートに接着した状態を示す斜視図である。
【図３】ＣＣＤの受光部をベースプレートに対して位置調整した状態を示す斜視図である。
【図４】ＬＰＦユニットの分解斜視図である。
【図５】ＬＰＦユニットを組み込むときの状態を示す分解斜視図である。
【図６】ＬＰＦユニットを組み込んだ状態を示す部分断面図である。
【図７】押さえバネによりＬＰＦユニットを取り付ける状態を示す分解斜視図である。
【図８】ＣＣＤユニットの完成状態を示す斜視図である。
【図９】ＣＣＤユニットの正面図である。
【図１０】ＣＣＤユニットの上面図である。
【図１１】ＬＰＦの位置決め方法を説明するための図である。
【図１２】ＣＣＤユニットの中央断面図である。
【符号の説明】
１：ＣＣＤプレート
２：ＣＣＤ
２ａ：カバーガラス
３：ベースプレート
４：スペーサ
４ａ：スペーサの表側
４ｂ：スペーサの表側
５：ローパスフィルタ（ＬＰＦ）
６：ＬＰＦ枠
７：ＬＰＦカバー板
８ａ，８ｂ：押さえバネ
【図１】
2004187243.tif 000003
【図２】
2004187243.tif 000004
【図３】
2004187243.tif 000005
【図４】
2004187243.tif 000006
【図５】
2004187243.tif 000007
【図６】
2004187243.tif 000008
【図７】
2004187243.tif 000009
【図８】
2004187243.tif 000010
【図９】
2004187243.tif 000011
【図１０】
2004187243.tif 000012
【図１１】
2004187243.tif 000013
【図１２】
2004187243.tif 000014